(57)【要約】【課題】  単極発電機は一般的な電磁誘導を利用した発電機に比べ、逆トルクが無く小さな動力エネルギーで回転子を回す事が出来るが、出力電圧（Ｖ）は非常に小さいため、あまり実用化されていない。【解決手段】  回転する導体内を貫く磁場の方向は一方向でなく、つまり単極でなく、Ｎ−Ｓ−Ｎ−Ｓと交互に反転させ、導体内の電気（電子）の流れがジグザク方向に流れるように該導体内に電気的通路を設けることにより、磁場内での電気（電子）の流れる距離を最長に出来、電圧（Ｖ）を高めることが出来る。【選択図】図１
2010284069.tif 000002
【特許請求の範囲】
【請求項１】
本発電機は「ファラディの円盤」の原理を基にした発電機（ＦＤＧ）であって、回転軸に対して平行な磁場方向で、Ｎ−Ｓ−Ｎ−Ｓと交互に反転するように磁石の磁極を並べた磁石の回転子と、該回転子に固着された導体を、同軸上で回転させ、該導体内に発生する電気（電子）の遠心方向と求心方向の二つの流れ方向に、電気（電子）の流れがジグザク方向に流れるように該導体内に電気的通路を設けた発電機であって、磁石は永久磁石か電気磁石かを問わない発電機。
【請求項２】
前請求項１の発電機であって、磁石を固定子にし、導体を回転子にした発電機。
【発明の詳細な説明】
【技術分野】
【０００１】    この発明は「ファラディの円盤」の原理に基づく発電機（ＦＤＧ）に関する。
【背景技術】
【０００２】    従来の電磁誘導による発電機は、回転子に対して常に逆トルクが発生しており、発電のために回転子を回すには大きな動力エネルギーを消耗することになる。それ故、この方法による発電は地球環境の負荷が大きい。それを解決するためには逆トルクを伴わない「ファラディの円盤」の原理に基づく発電機、所謂、単極発電機が良い。単極発電機は磁石と導体を接合し、同じ軸上を回転させて発電するため逆トルクは発生せず、回転子を回転させる動力エネルギーは小さくて済む。
【発明の概要】
【発明が解決しようとする課題】
【０００３】    しかし、単極発電機が一般に普及されない原因は、大きな電流（Ａ）を得ることは出来るが、電圧（Ｖ）は非常に小さいためによる。【０００４】    単極発電機では回転する導体（回転子）の軸側と周側で刷子（ブラシ）等で集電するが、これには特開２００１−２８６１１７や特開Ｈ０９−２３８４５８等で開示されているように、次の二つの問題が在る。一つは周側の導体の回転速度は軸側の速度よりも速く、周側の刷子（ブラシ）の磨耗破損が頻繁に起きる。もう一つは集電部が軸側と周側にあるため、一つの回転軸に複数の回転子を備えて直列接続させることが困難であるため、電圧を上げることが難しい。【０００５】    電圧を上げるためには、イ）導体を貫く磁場の磁力を高める、ロ）回転速度を速める、ハ）磁場内にある、導体内の電気（電子）の流れる距離を長くする。本発明は導体内に起電された電気（電子）の流れる距離を長くし、電圧（Ｖ）を高めることを課題としている。
【課題を解決するための手段】
【０００６】    特許請求項１で示すように、回転軸に対して平行な磁場方向が交互に反転するように磁石の磁極をＮ−Ｓ−Ｎ−Ｓと並べた磁石の回転子（図１）と、該回転子に固着された導体（図２）を、同軸上で回転させ（図３）、該導体内に発生する電気（電子）の遠心方向と求心方向の二つの流れ方向に、電気（電子）の流れがジグザク方向に流れるように該導体内に一本の電気的通路（図２）を設けることにより、該導体内で発生した電気（電子）は回転軸に対して垂直方向、つまり遠心方向と求心方向へと交互に流れるため、長い距離を流れることになり、電圧（Ｖ）を上げることが出来る。【０００７】    該導体内に設けた一本の電気的通路の両端の端子を回転軸側に設けることにより、磁石と導体の回転子を増設し、各導体を直列式に接続することが出来、電圧（Ｖ）を上げることが出来る。【０００８】    また、特許請求項２で示すように、磁石側を固定子にし、導体側を回転子にすれば交流電気を発電することが出来、電圧（Ｖ）を上げることが出来る。
【発明の効果】
【０００９】    以上のように、本発電機は「ファラディの円盤」の原理に基づいているが、所謂従来の単極発電機（Ｈｏｍｏｐｏｌａｒ  Ｇｅｎｅｒａｔｏｒ）ではない。単極発電機とは回転する導体を貫く磁場の方向は一方向だけであり、それ故単極発電機と言われ、導体を円盤で用いた場合、導体内に発生する電圧（Ｖ）は回転する導体の中心部と、その周辺部間だけで発生し、電気（電子）の流れる方向は、遠心方向か求心方向のどちらか一方向だけである。それ故、磁場内の電気（電子）の流れる距離が短く、電圧を上げることが出来ない。つまり、従来の単極発電機は無数の乾電池を並列に繋げている事を示す（図４）。【００１０】    本発明の発電機は回転する導体内を貫く磁場の方向は交互に反転し、導体内の磁場の方向は回転軸に平行でＮ−Ｓ−Ｎ−Ｓと交互になっているため、磁石の回転子と導体の回転子が一緒になって回転する場合、導体内に一本の電気的通路を設けることにより電圧を上げることが出来る。つまり、本発電機は複数の乾電池を直列に繋げている事を示す（図５）。【００１１】    また、磁石を固定子にし、導体を回転子にすれば交流電気を発電することが出来る。【００１２】    以上のことから、本発明は小さな動力エネルギーで大きな電流（Ａ）と電圧（Ｖ）を得ることが出来る。因って、本発明はＣＯ２削減という地球環境負荷を削減するために貢献できる。
【図面の簡単な説明】
【００１３】
【図１】  本発電機の磁石の回転子を軸方向から見た概略図
【図２】  本発電機の導体の回転子を軸方向から見た概略図
【図３】  本発電機を側面から見た概略図。
【図４】  従来の単極発電図の概念図
【図５】  本発電機の概念図
【発明を実施するための形態】
【００１４】    先ず、回転軸３に対して平行な磁場方向が交互に反転するように磁石１の磁極をＮ−Ｓ−Ｎ−Ｓと並べた磁石の回転子（図１）を設ける。図１の示す磁場の方向は手前から奥へと、奥から手前の方向を表す。
【００１５】    導体２の外径は磁石の回転子（図１）の外径よりも少し大きくし、内径は磁石の回転子の内径よりも少し小さくし、二つの磁場方向の境界線上に、該導体の外周から内周へと一本の切込み溝４ａを設け両端を電気的に絶縁する（図２）。
【００１６】    次に、他の磁場方向の各境界線上に該導体の内周から磁石回転子の外径までの距離に切込み溝４ｂを設け、交互になるように、次は該導体の外周から磁石回転子の内径までの距離に切込み溝４ｃを設け、該導体内にジグザクな一本の電気的通路を設ける（図２）。
【００１７】    該導体２の回転子に設けられた一本の電気的通路の両端の回転軸側に端子５を設ける。
【００１８】    図３が示すように磁石回転子と導体回転子を増設すれば、各導体回転子の端子５を直列式に接続することが出来、更なる電圧を上げることが出来る。
【記号の説明】
【００１９】      １    磁石
２    導体
３    回転軸
４    切込み溝
５ａ  端子（入）
５ｂ  端子（出）
６ａ  電気（電子）の流れ方向（遠心方向）
６ｂ  電気（電子）の流れ方向（求心方向）
【図１】
2010284069.tif 000003
【図２】
2010284069.tif 000004
【図３】
2010284069.tif 000005
【図４】
2010284069.tif 000006
【図５】
2010284069.tif 000007